(57)【要約】【課題】良好な意匠性を確保することができる水洗式便器を提供する。【解決手段】水洗式便器１は、前面から左右の側面に渡って連続する外周面１Ａが形成されている。水洗式便器１は、外周面１Ａの一部を形成する外壁部４０を有する陶器製の便器本体２と、外壁部４０に接合されて外周面１Ａの一部を形成する陶器製の周壁部材３と、を備えている。【選択図】図１
2020200608.tif 000002
【特許請求の範囲】
【請求項１】
前面から左右の側面に渡って連続する外周面が形成された水洗式便器であって、
前記外周面の一部を形成する外壁部を有する陶器製の便器本体と、
前記外壁部に接合されて前記外周面の一部を形成する陶器製の周壁部材と、
を備えている水洗式便器。
【請求項２】
前記便器本体と前記周壁部材とを接合する陶器製の接合部材を備えている請求項１に記載の水洗式便器。
【請求項３】
前記周壁部材は、前記外周面の後部側の側面を形成する請求項１から請求項２までのいずれか一項に記載の水洗式便器。
【請求項４】
前記便器本体は、前記外壁部を有する下側部材と、前記下側部材の上部に接合されて上面を形成する上面部を有する上側部材とを有しており、
前記周壁部材は、前記上側部材及び前記下側部材のそれぞれに接合されている請求項１から請求項３までのいずれか一項に記載の水洗式便器。
【請求項５】
前記上側部材は、本水洗式便器の上面を形成する平坦面と、前記平坦面の外周縁に連続する断面円弧状の湾曲面とを形成しており、
前記周壁部材は、表面の上端が前記湾曲面の下端に連続する形態で、前記上側部材に接合されている請求項４に記載の水洗式便器。
【発明の詳細な説明】
【技術分野】
【０００１】
本開示は、水洗式便器に関する。
【背景技術】
【０００２】
特許文献１は従来の水洗式便器を開示している。この水洗式便器は、便器本体とカバー部材とを備えている。便器本体及びカバー部材は、前面から左右の側面に渡って連続する水洗式便器の外周面を形成している。
【先行技術文献】
【特許文献】
【０００３】
【特許文献１】特開２０１７−４００４６号公報
【発明の概要】
【発明が解決しようとする課題】
【０００４】
特許文献１の水洗式便器の場合、便器本体は陶器製であり、カバー部材は樹脂製である。このため、便器本体とカバー部材の質感に差が生じ、意匠性に影響を及ぼしてしまっていた。
【０００５】
本開示は、良好な意匠性を確保することができる水洗式便器を提供することを解決すべき課題としている。
【課題を解決するための手段】
【０００６】
上述した課題を解決するために、本開示の一実施形態に係る水洗式便器は、前面から左右の側面に渡って連続する外周面が形成された水洗式便器であって、この外周面の一部を形成する外壁部を有する陶器製の便器本体と、外壁部に接合されて外周面の一部を形成する陶器製の周壁部材と、を備えている。
【図面の簡単な説明】
【０００７】
【図１】実施形態１に係る水洗式便器を示す側面図である。
【図２】実施形態１に係る水洗式便器を示す平面図である。
【図３】実施形態１に係る水洗式便器を示す背面図である。
【図４】図１のＩＶ−ＩＶ線断面図である。
【図５】図１のＶ−Ｖ線断面図である。
【図６】図５の要部拡大図である。
【図７】実施形態１に係る周壁部材を示す斜視図である。
【図８】実施形態１に係る水洗式便器の製造方法を説明するための図であり、上部形成体と下部形成体とを接合する前の状態を示す斜視図である。
【図９】実施形態１に係る水洗式便器の製造方法を説明するための図であり、周壁部材と便器本体とを接合する前の状態を示す斜視図である。
【発明を実施するための形態】
【０００８】
＜実施形態１＞
以下の説明において、前後方向、左右方向、上下方向とは、着座した状態の使用者から見た前後方向、左右方向、上下方向を夫々示すものとする。例えば、図１の場合には左右方向が前後方向である。
【０００９】
実施形態１に係る水洗式便器１は陶器製の便器である。水洗式便器１は、後方を壁面に固定されて設置される。図１及び図２に示すように、水洗式便器１は、外周面１Ａが前面から左右の側面に渡って連続して形成されている。図３に示すように、外周面１Ａは、上端から下端に向かって窄む形態で形成されている。
水洗式便器１は、便器本体２と、周壁部材３とを備えている。便器本体２及び周壁部材３はそれぞれ陶器製である。
【００１０】
図１〜図６に示すように、便器本体２は、便鉢部１０、トラップ部２０、上面部３０、外壁部４０、及び後壁部５０、を有している。
便鉢部１０は水洗式便器１の内周面を形成する。図２に示すように、便鉢部１０は、上側に開放する鉢面部１１と、鉢面部１１の下縁部から下方に窪んで形成される溜水部１２とを備える。鉢面部１１は、中央後方側に向かって低くなるように傾斜して形成されている。鉢面部１１には、給水部６０から供給される洗浄水が流通する。鉢面部１１の上部には上下方向に延びる立面部１３が形成されている。溜水部１２には洗浄水が封水として貯留される。溜水部１２の底部の後方領域には、洗浄水が流入するトラップ部２０への流入口１２Ａが形成されている。
【００１１】
トラップ部２０は、便鉢部１０内に排泄された汚物を排出するための排水路を構成する。トラップ部２０は、いわゆるＰトラップを形成している。トラップ部２０は、その上流端部である溜水部１２下端の流入口１２Ａから、下方に向かったのち上方に傾斜する形態で略Ｕ字状に延びるとともに、下流端部が後述する後壁部５０の隔壁５１を貫通して後方に突出し、排出口２０Ａを形成している。
【００１２】
図１及び図２に示すように、上面部３０は水洗式便器１の上面を形成する。上面部３０は、便鉢部１０の上端縁部のリム部３１と、リム部３１の後方に拡がる台座部３２とを有する。台座部３２には、一対の取付孔３２Ａと、連通孔３２Ｂとが形成されている。一対の取付孔３２Ａは、連通孔３２Ｂを挟んで左右に間隔を空けて形成されている。一対の取付孔３２Ａは、台座部３２に載置されて取り付けられる便座装置（図示せず）の機能部を取り付けるための孔である。連通孔３２Ｂはトラップ部２０に連通している。連通孔３２Ｂは、通常の使用状態においては、蓋部材（図示せず）によって閉塞されるとともに台座部３２に配置される便座装置により覆われて隠ぺいされる。
【００１３】
図１及び図３に示すように、上面部３０の上面には平坦面３０Ａ及び湾曲面３０Ｂが形成されている。図５及び図６に示すように、平坦面３０Ａは、水洗式便器１の設置状態において上方を向く形態で形成されている。すなわち、平坦面３０Ａは、前後方向及び左右方向に略平行な平面として形成されている。平坦面３０Ａは、リム部３１の上面及び台座部３２の上面の略全体に渡って段差なく形成されている。湾曲面３０Ｂは、平坦面３０Ａの外周縁に連続する断面円弧状に形成されている。湾曲面３０Ｂは、平坦面３０Ａの外周縁をいわゆるＲ面取りしたような形態で、上面部３０の上面の前部及び左右側部に形成されている。湾曲面３０Ｂの下端縁は、外周面１Ａの上端縁に円滑に連続している。すなわち、湾曲面３０Ｂは、略水平な平坦面３０Ａと水洗式便器１の外周面１Ａとを円滑に接続している。
【００１４】
外壁部４０は水洗式便器１の外周面１Ａの一部を形成する。図１に示すように、外壁部４０は、便鉢部１０及びトラップ部２０の前方外側及び側方外側を覆う形態で、上面部３０の外側縁部から下方に延びて形成されている。外壁部４０は、前面４１から左右の側面４２に渡って連続する曲面で形成されている。図４及び図５に示すように、外壁部４０には凹部４３が形成されている。この凹部４３には後述する周壁部材３が嵌め込まれる。凹部４３は、外壁部４０の左右対象となる側面４２の両側の位置に形成されている。凹部４３は外壁部４０の側面４２の後部寄りの位置に形成されている。
【００１５】
図１に示すように、本実施形態において、凹部４３は、上下方向及び前後方向を四辺とする略矩形状に開口して形成されている。図４及び図５に示すように、凹部４３の開口縁部には、周壁部材３との接合面４３Ａ，４３Ｂ，４３Ｃ，４３Ｄが形成されている。接合面４３Ａ，４３Ｂ，４３Ｃ，４３Ｄは、凹部４３の中心方向内側に向かって傾斜して形成されている。これらの接合面４３Ａ，４３Ｂ，４３Ｃ，４３Ｄのうち、上端部の接合面４３Ａは上面部３０の湾曲面３０Ｂの下面に形成されている。凹部４３の前端部、下端部、及び後端部に形成されている接合面４３Ｂ〜４３Ｄは、外壁部４０に形成されている。
【００１６】
後壁部５０は水洗式便器１の後面を形成する。図３及び図４に示すように、後壁部５０は隔壁５１を有して構成されている。隔壁５１は、便器本体２の後端よりも僅かに前方寄りの位置に形成されており、便器本体２の後方の空間と凹部４３側の空間とを隔てている。後壁部５０には、一対の固定孔５０Ａ及び一対の作業孔５０Ｂが形成されている。固定孔５０Ａは、便器本体２を壁面側の固定部材と連結する際のボルト（図示せず）を取り付けるための孔である。固定孔５０Ａは、外壁部４０の左右の側面４２の後端４２Ａの内壁に隣接して設けられている。作業孔５０Ｂは、固定孔５０Ａにボルトを固定する際に手を差し入れて作業するための孔である。作業孔５０Ｂは、各固定孔５０Ａの左右方向中央寄りの位置に形成されている。
【００１７】
給水部６０は、導入流路６１と、第１吐水流路６２、及び第２吐水流路６３を有して構成されている。導入流路６１は、後壁部５０の左右方向中央上部に開口して形成された導入口６１Ａから洗浄水を導入する。導入流路６１は、下流端において第１吐水流路６２及び第２吐水流路６３の２つの流路に分岐している。第１吐水流路６２は、導入流路６１下流端から右方向に分岐し、立面部１３を形成する壁面の後面に沿って便鉢部１０の前方に向かって延びている。第１吐水流路６２の下流端には第１吐水口６２Ａが形成されている。第１吐水口６２Ａは、立面部１３の前後方向中央部近傍において前方に向かって開口している。第２吐水流路６３は、導入流路６１下流端から左方向に分岐し、立面部１３を形成する壁面の後面に沿って便鉢部１０の左方に向かって延びている。第２吐水流路６３の下流端には第２吐水口６３Ａが形成されている。第２吐水口６３Ａは、立面部１３の左側部後方において右方に向かって開口している。給水部６０は、これら第１吐水口６２Ａ及び第２吐水口６３Ａから便鉢部１０内に洗浄水を吐出する。
【００１８】
周壁部材３は水洗式便器１の外周面１Ａの一部を形成する。図１、図４、及び図５に示すように、周壁部材３は、便器本体２の外壁部４０に形成された凹部４３に嵌め込まれる。周壁部材３は、左右一対の凹部４３に対応して一対が備えられている。一対の周壁部材３は互いに左右対称な形状をなしている。
【００１９】
図７に示すように、周壁部材３は、側面視略矩形状をなすとともに、下端側に向かうにつれて表面３Ａ側から裏面３Ｂ側に湾曲する形態の板状に形成されている。周壁部材３の表面３Ａは、水洗式便器１の外周面１Ａを形成する面である。図４〜図６に示すように、周壁部材３の表面３Ａは、周壁部材３が凹部４３に嵌め込まれた際に、上面部３０の湾曲面３０Ｂ及び外壁部４０の側面４２のそれぞれに円滑に連続した一連の面をなすように形成されている。
【００２０】
図１、図４、及び図５に示すように、周壁部材３の周縁部には、便器本体２との接合面３Ｃ，３Ｄ，３Ｅ，３Ｆが形成されている。周壁部材３は、各接合面３Ｃ，３Ｄ，３Ｅ，３Ｆにおいて、接合部材４を介して便器本体２に接合されている。各接合面３Ｃ，３Ｄ，３Ｅ，３Ｆは、傾斜して形成されている凹部４３側の接合面４３Ａ，４３Ｂ，４３Ｃ，４３Ｄに対して面接合が可能なように、周壁部材３の裏側に向かって中心方向に傾斜して形成されている。周壁部材３は、表面３Ａの上端が湾曲面３０Ｂの下端に連続する形態で接合される。具体的には、図６に示すように、周壁部材３は、上端部の接合面３Ｃが凹部４３の上端部であって、湾曲面３０Ｂの下端に形成された接合面４３Ａに接合される。図４及び図５に示すように、周壁部材３は、前端部の接合面３Ｄ、下端部の接合面３Ｅ、及び後端部の接合面３Ｆが、凹部４３の前端部の接合面４３Ｂ、下端部の接合面４３Ｃ、及び後端部の接合面４３Ｄにそれぞれ接合される。
【００２１】
本実施形態において、上述の接合部材４は、接合用の泥しょうが焼成されてなる陶器製とされている。便器本体２及び一対の周壁部材３は、それぞれ焼成前の成形品の状態において、便器本体２側の接合面４３Ａ，４３Ｂ，４３Ｃ，４３Ｄと周壁部材３の接合面３Ｃ，３Ｄ，３Ｅ，３Ｆとの間に接合用の泥しょうを塗布して接合される。
【００２２】
次に、本実施形態に係る水洗式便器１の製造方法について説明する。
最初に、便器本体２の製造方法について説明する。便器本体２は、図８に示すように、上部形成体７０及び下部形成体８０を接合してなる成形品を焼成することによって得られる。上部形成体７０及び下部形成体８０は、それぞれ泥しょうを鋳込み成形して形成される。この上部形成体７０の焼成体は、上側部材を形成する。下部形成体８０の焼成体は、下側部材を形成する。上部形成体７０及び下部形成体８０は、接合面７１，８１を各々有している。接合面７１，８１は、前後方向及び左右方向に略平行な下向き面及び上向き面でそれぞれ形成されている。上部形成体７０及び下部形成体８０は、それぞれの接合面７１，８１の間に接合用の泥しょうを塗布して接合される。
【００２３】
図８に示すように、上部形成体７０は、便器本体２における便鉢部１０の上端側の一部、上面部３０、外壁部４０の後部上端側の一部、後壁部５０の上端側の一部、及び給水部６０の上端側の一部のそれぞれを形成している。下部形成体８０は、便器本体２における便鉢部１０、トラップ部２０、外壁部４０、後壁部５０、及び給水部６０のうちの上部形成体７０により形成される上記部分を除く部分を形成している。上部形成体７０及び下部形成体８０は、上記各部に形成された接合面７１，８１において接合されている。すなわち、上部形成体７０と下部形成体８０とを分割して形成したことで複雑な内部流路等の構成を上下に分割して形成している。
【００２４】
本実施形態の場合、接合面７１と接合面８１との間には、接合用の泥しょうが焼成されてなる陶器製の接合部材４が形成される。すなわち、焼成前の上部形成体７０及び下部形成体８０は、接合面７１，８１の間の接合用の泥しょうとともに焼成されることにより、接合部材４によって一体的に接合された便器本体２を形成する。
【００２５】
周壁部材３の製造方法は、便器本体２と同様である。すなわち、周壁部材３は、泥しょうを鋳込み成形して形成した成形品１０３を焼成することによって得られる。本実施形態において、周壁部材３は、成形品１０３の状態において、成形品の状態の便器本体２に接合される（図９参照）。
【００２６】
すなわち、本実施形態の水洗式便器１の製造方法では、最初に、泥しょうを鋳込み成形して形成した上部形成体７０及び下部形成体８０を得る。そして、図８に示すように、上部形成体７０及び下部形成体８０の各接合面７１，８１に接合用の泥しょうを塗布して接合する。これにより、焼成前の便器本体２の成形品１０２を得る。
【００２７】
泥しょうを鋳込み成形して形成して得た周壁部材３の成形品１０３を便器本体２の成形品１０２に接合する。この時、図９に示すように、便器本体２の成形品１０２を、上面及び下面に当て板等を当てた状態で上下反転させておく。これにより、成形品１０２の上面部３０が接地して安定するとともに、外壁部４０が下方に向かって末広がりに配置されるため、接合作業が容易になる。
【００２８】
便器本体２側の接合面４３Ａ，４３Ｂ，４３Ｃ，４３Ｄに接合用の泥しょうを塗布する。便器本体２における周壁部材３との接合面４３Ａ，４３Ｂ，４３Ｃ，４３Ｄのうち、接合面４３Ａは上部形成体７０に形成されており、接合面４３Ｂ，４３Ｃ，４３Ｄは下部形成体８０に形成されている。そして、これら便器本体２側の各接合面４３Ａ，４３Ｂ，４３Ｃ，４３Ｄに周壁部材３側の各接合面３Ｃ，３Ｄ，３Ｅ，３Ｆを合わせて接合する。すなわち、周壁部材３は、上側部材となる上部形成体７０、及び下側部材となる下部形成体８０のそれぞれに接合される。その後、釉薬を塗布して焼成することによって水洗式便器１が得られる。このようにして得た水洗式便器１は、陶器製の便器本体２と、陶器製の周壁部材３とが陶器製の接合部材４によって一体的に接合され、良好な意匠性が得られる。便器本体２と周壁部材３とを焼成前の成形品１０２，１０３の状態で接合したことによって、接合用の泥しょうが焼成されてなる接合部材４によって強固に一体的に接合されているとともに、継ぎ目の目立たない外周面１Ａを有する水洗式便器１が得られる。
【００２９】
以上のように、実施形態１の水洗式便器１は、前面から左右の側面に渡って連続する外周面１Ａが形成された水洗式便器であって、外周面１Ａを形成する外壁部４０を有する陶器製の便器本体２と、外壁部４０に接合されて外周面１Ａの一部を形成する陶器製の周壁部材３と、を備えている。
【００３０】
このように、水洗式便器１は、陶器で外周面１Ａを形成することができる。このため、従来のように外周面の一部が樹脂製である場合と比較して、良好な意匠性を確保することができる。周壁部材３を便器本体２と別々に製造できるので、設計の自由度の向上を図ることができる。
【００３１】
実施形態１の水洗式便器１は、便器本体２と周壁部材３とを接合する陶器製の接合部材４を備えている。これにより、外周面１Ａの全体が陶器で形成され、意匠性をより良好にすることができる。
【００３２】
実施形態１の水洗式便器１は、周壁部材３が外周面１Ａの後部側の側面を形成する。これにより、外壁部４０との接合部位が外周面１Ａの前面に現れる場合と比較して、意匠性をより良好にすることができる。
【００３３】
実施形態１の水洗式便器１において、便器本体２は、外壁部４０を有する下側部材としての下部形成体８０の焼成体と、下側部材の上部に接合されて水洗式便器１の上面を形成する上側部材としての上部形成体７０の焼成体とを有している。これにより、水洗式便器１は、上部形成体７０の焼成体及び下部形成体８０の焼成体で形成された便器本体２と周壁部材３とによって構成される。このため、トラップ部や給水部等の複雑な内部流路を容易に形成することができる。その結果、設計の自由度をより向上させることができる。
【００３４】
実施形態１の水洗式便器１において、上側部材としての上部形成体７０の焼成体を有する便器本体２は、平坦面３０Ａと、この平坦面３０Ａの外周縁に連続する断面円弧状の湾曲面３０Ｂとを形成しており、周壁部材３は、表面３Ａの上端が湾曲面３０Ｂの下端に連続する形態で、上部形成体７０の焼成体に接合されている。このため、湾曲面３０Ｂと周壁部材３の表面３Ａとの接合部位を目立ちにくくすることができ、意匠性をより良好にすることができる。
【００３５】
＜他の実施形態＞
本開示は上記記述及び図面によって説明した実施形態に限定されない。
【００３６】
（１）上記実施形態とは異なり、便器本体と周壁部材とを焼成後に接合するようにしてもよい。
【００３７】
（２）接合部材の材質は特に限定されず、例えば、樹脂系やゴム系の接着剤等を採用してもよい。
【００３８】
（３）便器本体を分割して形成する場合、その分割方向や分割数等は特に限定されない。
（４）周壁部材と便器本体との接合部位の位置は特に限定されない。
【符号の説明】
【００３９】
１…水洗式便器  １Ａ…外周面  ２…便器本体  ３…周壁部材  ３Ａ…表面  ４…接合部材  ３０…上面部  ３０Ａ…平坦面  ３０Ｂ…湾曲面  ４０…外壁部
【図１】
2020200608.tif 000003
【図２】
2020200608.tif 000004
【図３】
2020200608.tif 000005
【図４】
2020200608.tif 000006
【図５】
2020200608.tif 000007
【図６】
2020200608.tif 000008
【図７】
2020200608.tif 000009
【図８】
2020200608.tif 000010
【図９】
2020200608.tif 000011